(57)【特許請求の範囲】
【請求項１】
地面に境界線を画するための地面用境界材であって、地面用境界材の両端に、隣接する地面用境界材同士を上下方向に嵌合する雄雌嵌合構造で連結するための連結部をそれぞれ一体形成し、該両端の連結部のうち、一方が雄連結部、他方が雌連結部であり、前記雌連結部は、水平方向断面が正多角形で形成され、前記雄連結部は、雌連結部の正多角形の対向する二辺の内面に沿って挿入される二枚の弾性突片からなり、この弾性突片の先端には、結合時に雌連結部の下辺に係合する係合爪が設けられていることを特徴とする地面用境界材。
【請求項２】
地面に境界線を画するための地面用境界材であって、地面用境界材の両端に、隣接する地面用境界材同士を上下方向に嵌合する雄雌嵌合構造で連結するための連結部をそれぞれ一体形成し、該両端の連結部のうち、一方が雄連結部、他方が雌連結部であり、前記雌連結部及び雄連結部は、水平方向断面が正多角形で形成されていることを特徴とする地面用境界材。
【請求項３】
地面に境界線を画するための地面用境界材であって、地面用境界材の上下両側縁部に異なる形状の境界表示部を形成するとともに、両境界表示部の内部形状又は外部形状を共通の連結具で連結可能な形状に形成したことを特徴とする地面用境界材。
【発明の詳細な説明】
【０００１】
【発明の属する技術分野】
本発明は、地面用境界材に関し、詳しくは、材質や植裁、性質の異なる地面の境界を区画するために使用する地面用境界材であって、特に、隣接する地面用境界材同士の連結構造に関するものである。
【０００２】
【従来の技術】
従来、材質や植裁等が異なる地面を区画する際には、木板や樹脂製の波板等を適当に使用しており、地面用境界材として専用に用意されたものはなかった。また、海外においては、帯状の樹脂製境界材が用いられているが、これらは、可撓性を有する境界材にアンカー部材を貫入させ、これを地面に斜めに打込んで施工するようにしている。
【０００３】
【発明が解決しようとする課題】
しかし、近年では、多様な植裁、圃路等を造成する場合が多く、境界線も長くなる傾向にあるため、複数の地面用境界材同士を必要に応じて連結する必要があるが、従来は、専用の連結具を別途用意してその都度連結しているのが実状である。
【０００４】
そこで本発明は、地面用境界材同士の連結を容易にかつ確実に行うことができる地面用境界材を提供することを目的としている。
【０００５】
【課題を解決するための手段】
上記目的を達成するため、本発明の第１の地面に境界線を画するための地面用境界材は、地面用境界材の両端に、隣接する地面用境界材同士を上下方向に嵌合する雄雌嵌合構造で連結するための連結部をそれぞれ一体形成し、該両端の連結部のうち、一方が雄連結部、他方が雌連結部であり、前記雌連結部は、水平方向断面が正多角形で形成され、前記雄連結部は、雌連結部の正多角形の対向する二辺の内面に沿って挿入される二枚の弾性突片からなり、この弾性突片の先端には、結合時に雌連結部の下辺に係合する係合爪が設けられていることを特徴としている。
【０００６】
さらに、本発明の第２の地面に境界線を画するための地面用境界材は、地面用境界材の両端に、隣接する地面用境界材同士を上下方向に嵌合する雄雌嵌合構造で連結するための連結部をそれぞれ一体形成し、該両端の連結部のうち、一方が雄連結部、他方が雌連結部であり、前記雌連結部及び雄連結部は、水平方向断面が正多角形で形成されていることを特徴としている。
【０００７】
また、本発明の第３の地面に境界線を画するための地面用境界材は、地面用境界材の上下両側縁部に異なる形状の境界表示部を形成するとともに、両境界表示部の内部形状又は外部形状を共通の連結具で連結可能な形状に形成したことを特徴としている。
【０００８】
【発明の実施の形態】
図１乃至図３は、本発明の地面用境界材の一形態例を示すもので、図１は正面図、図２は平面図、図３は要部の平面図である。この地面用境界材１０は、適当な幅及び長さを有する射出成形材であって、適当な厚さの板状本体部１１に所定間隔で薄肉の折曲可能部１２を設けるとともに、この折曲可能部１２の上方を除く板状本体部１１の上端に幅広の天板部１３を設けたものである。また、天板部１３の中央には地面用境界材１０を打込む際の打撃目標となる頭部１４が設けられており、この頭部１４の下方には、打込み力を本体下部に確実に伝達するための補強リブ１５が設けられている。さらに、板状本体部１１の下端部は、打込み力を軽減するために先鋭化されるとともに、補強リブ１５部分が最下端部となり、折曲可能部１２が最上部となるような凹凸形状に形成されている。
【０００９】
また、板状本体部１１の下部には、板状本体部１１から側方に突出した抜止め部１６が設けられており、前記折曲可能部１２の側方には、該折曲可能部１２に沿う厚肉の強化部１７が本体部表面に交互に突出するようにして設けられている。
【００１０】
そして、板状本体部１１の長さ方向の両端部には、板状本体部１１同士を接続するための雄連結部１８と雌連結部１９とが設けられている。なお、天板部１３の下方に設けられている小通孔２０は、地面用境界材１０を折曲可能部１２に沿って折曲げたときに、折曲げ状態を保持するための固定具を装着する固定具装着部である。
【００１１】
前記雌連結部１９は正方形の筒状に形成されており、雄連結部１８は、雌連結部１９の対向する二辺の内面に沿って挿入される二枚の弾性突片１８ａ，１８ａからなるものであって、この弾性突片１８ａ，１８ａの先端には、結合時に雌連結部１９の下辺に係合する係合爪１８ｂが設けられている。また、雄連結部１８の根元には、雌連結部１９への挿入量を規制する規制部２１が設けられており、地面用境界材１０同士を連結する際に、この規制部２１が雌連結部１９の上辺に当接するまで雄連結部１８を押込むと、前記係合爪１８ｂが雌連結部１９の下辺に係合するとともに、天板部１３の高さが揃うようにしている。
【００１２】
したがって、この地面用境界材１０を連結する際には、雄連結部１８と雌連結部１９とを上下方向から嵌合させるだけでよく、専用の連結具を使用するものに比べて容易に連結作業を行うことができる。また、雌連結部１９を正方形状としているので、隣接する地面用境界材１０を直角方向に連結することもできる。
【００１３】
すなわち、図４及び図５の平面図に示すように、雄連結部１８及び雌連結部１９を正六角形状とした場合は、直線方向や直角方向だけでなく、４５度方向にも容易にかつ確実に連結することができる。
【００１４】
図６は本発明の地面用境界材の他の形態例を示す断面図である。この地面用境界材３１は、ポリエチレン、ポリプロピレン、ポリ塩化ビニル等の可撓性の合成樹脂からなる押出成形材であって、所定の高さ寸法を有する帯状の長尺材となっている。地面用境界材３１の上下両側縁部には、境界線における地表部分の形状を円形あるいは四角形に選択できるように、一方に断面円形の中空体からなる境界表示部３２が、他方に断面四角形の中空体からなる境界表示部３３が設けられている。
【００１５】
このような地面用境界材３１同士の連結は、図７に斜視図で示すように、両地面用境界材３１同士の境界表示部３２内に、棒状の連結具４１の両端をそれぞれ挿入することにより行われる。したがって、図６に示すように、円形の境界表示部３２の内径と、四角形の境界表示部３３における内接円の直径とが同一になるように、境界表示部３２，３３の内部形状を設定しておくことにより、一種類の丸棒状の連結具４１によって境界表示部３２，３３同士を接続することができ、境界表示部３２と境界表示部３３とを連結することもできる。
【００１６】
また、円形の境界表示部３２の外径と、四角形の境界表示部３３における外接円の直径とを同一とした形状に形成しておくことにより、図８に側面図で示すように、境界表示部３２，３３の外側に嵌合する円形状の連結具４２を使用することができる。さらに、四角形の境界表示部３３の外側形状に対応する四角形の内接円の直径と、円形の境界表示部３２の外径とを同一とした形状に形成しておくことにより、図９に側面図で示すように、境界表示部３２，３３の外側に嵌合する四角形状の連結具４３を使用することができる。このように、境界表示部の外側に嵌合する連結具４２，４３の場合は、境界表示部が中実のものにも対応することができる。
【００１７】
このような連結具の形状は、地面用境界材３１の上下に形成する境界表示部の形状に応じて選択することができ、例えば、図１０に断面図で示すように、一方に五角形の境界表示部３４を、他方に四角形の境界表示部３５を設けた地面用境界材３１の場合は、五角形の境界表示部３４に、四角形の境界表示部３５の内部形状に対応した四角形部分を形成しておくことにより、四角形の棒状連結具４４を用いて両境界表示部３４，３５を連結することができる。
【００１８】
さらに、図１１に示すように、中空形状の境界表示部３６同士を連結する場合は、芯材部４５の周囲に複数の可撓性突片４６を設けた連結具４７を使用し、可撓性突片４６を変形させて境界表示部３６内に圧入することにより、様々な形状の境界表示部同士を連結することができる。
【００１９】
【発明の効果】
以上説明したように、本発明の地面用境界材によれば、地面用境界材同士の連結を容易にかつ確実に行うことができる。
【図面の簡単な説明】
【図１】  本発明の地面用境界材の一形態例を示す正面図である。
【図２】  同じく平面図である。
【図３】  同じく要部の平面図である。
【図４】  連結部の他の形状例を示す平面図である。
【図５】  同じく連結状態を示す一部切欠き平面図である。
【図６】  本発明の地面用境界材の他の形態例を示す断面図である。
【図７】  地面用境界材同士の連結例を示す斜視図である。
【図８】  連結具の他の形状例を示す側面図である。
【図９】  連結具の他の形状例を示す側面図である。
【図１０】  地面用境界材及び連結具の他の形状例を示す断面図である。
【図１１】  連結具の他の形状例を示す側面図である。
【符号の説明】
１０…地面用境界材、１１…板状本体部、１２…折曲可能部、１３…天板部、１４…頭部、１５…補強リブ、１６…抜止め部、１７…強化部、１８…雄連結部、１９…雌連結部、２０…固定具装着部、３１…地面用境界材、３２，３３，３４，３５，３６…境界表示部、４１，４２，４３，４４，４７…連結具
【図１】
0003785286.tif 000002
【図２】
0003785286.tif 000003
【図３】
0003785286.tif 000004
【図４】
0003785286.tif 000005
【図５】
0003785286.tif 000006
【図６】
0003785286.tif 000007
【図７】
0003785286.tif 000008
【図８】
0003785286.tif 000009
【図９】
0003785286.tif 000010
【図１０】
0003785286.tif 000011
【図１１】
0003785286.tif 000012